(57)【特許請求の範囲】
【請求項１】
輸送する物品の宛先や物品名等が記入可能な複数回分の伝票束と、
前記伝票束と一体化され、質問器との間でデータの授受を行う応答器とを有し、
前記応答器には、
前記伝票束の各回分の伝票との間に導電パターンが敷設され、使用済み伝票を切り離す際に導電パターンの一部が一緒に切り離されることにより伝票の更新を検知する伝票検知手段と、
前記伝票検知手段で伝票が更新されたことを検知するたびに、各伝票に対応した固有のＩＤコードに更新するＩＤ更新手段と、
を備えていることを特徴とする物品輸送用伝票。
【請求項２】
前記伝票検知手段は、使用済み伝票を切り離す際にループ状の導電パターンの一部を切り離すことで、電気的特性の変化を検知するようにしたことを特徴とする請求項１に記載の物品輸送用伝票。
【請求項３】
前記ＩＤ更新手段は、前記伝票束の各伝票に対応する固有のＩＤコードが予め格納された記憶手段を有し、前記伝票検知手段によって伝票の更新が検知されると前記記憶手段から対応するＩＤコードを読み出して更新することを特徴とする請求項１または２に記載の物品輸送用伝票。
【請求項４】
前記応答器は、ループアンテナを有し、前記質問器からの交流磁界によって発生した電力を用いてデータの授受動作を非接触で行うことを特徴とする請求項１〜３の何れか一項に記載の物品輸送用伝票。
【発明の詳細な説明】
【０００１】
【発明の属する技術分野】
本発明は、物品輸送用伝票に係り、更に詳しくは、輸送する物品に貼付して宛先や物品名等を記入する複数回分の伝票束と応答器とを組み合わせた物品輸送用伝票に関する。
【０００２】
【従来の技術】
従来より、梱包した物品を宅配便や郵便などを用いて輸送する場合、物品輸送用伝票に物品名や宛先などを記入して物品に貼り付け、物品の輸送手続き、仕分け作業、あるいは配送する際にこれを見ながら物品を確実に送り届けることが行われていた。
しかし、輸送コストを削減したり輸送時間を短縮するためには、輸送手続き、仕分け作業、配送作業などをできるだけ自動化する必要があり、バーコード処理を導入したり、最近ではＩＣチップが内蔵されたＩＣカードやＩＣタグなどのデータキャリア（応答器）を物品に貼付して、ＩＣカードリーダライタ（質問器）内を通過させることにより、必要な情報の読み書き処理を瞬時に行うことが可能となり、この情報に基づいて自動輸送処理が行われている。
例えば、特許第３０５２５９９号公報に記載された「情報記憶媒体およびその発行機」などでは、アンテナ、ＩＣ、コイル、電池などが内蔵された応答回路と、手書き記入欄やコード表示部とを一緒にした宅配便伝票が開示されており、使用開始前には電池の消耗を抑えるため、スイッチング素子により電池を回路から切り離すことが行われていた。
【０００３】
【発明が解決しようとする課題】
しかしながら、このような従来の宅配便伝票にあっては、物品輸送者が目で見て確認する手書き記入欄やコード表示部内の情報と、応答回路に書き込まれたＩＤ番号等の情報とが対応している必要があるため、この宅配便伝票を用いて物品輸送を終えると再利用できないという問題があった。特に、ＩＣを内蔵する応答回路は、高価なため、１回だけの物品輸送に用いるには無駄が多く、実用的でなかった。
また、上記公報例では、ＩＣの駆動電源に内蔵電池を用いているため、製造後から使用までに相当期間が経過すると、スイッチング素子で電池を回路から切り離していても、自然放電によって電池が消耗するため、使用できなくなるおそれがあるという問題があった。
本発明は、上記事情に鑑みてなされたものであり、応答器と一体化された輸送用伝票をそれぞれ固有のＩＤコードを用いて複数回使用することが可能であって、データ管理を確実に行うことのできる物品輸送用伝票を提供することを第１の目的としている。
また、本発明は、電池切れの心配のない物品輸送用伝票を提供することを第２の目的としている。
【０００４】
【課題を解決するための手段】
上記目的を達成するため、請求項１記載の発明は、輸送する物品の宛先や物品名等が記入可能な複数回分の伝票束と、前記伝票束と一体化され、質問器との間でデータの授受を行う応答器とを有し、前記応答器には、前記伝票束の各回分の伝票との間に導電パターンが敷設され、使用済み伝票を切り離す際に導電パターンの一部が一緒に切り離されることにより伝票の更新を検知する伝票検知手段と、前記伝票検知手段で伝票が更新されたことを検知するたびに、各伝票に対応した固有のＩＤコードに更新するＩＤ更新手段と、を備えていることを特徴とする。
これによれば、伝票束は輸送する物品の宛先や物品名等を複数回分記入可能なもので、質問器との間でデータの授受を行う応答器と一体化され、その応答器の伝票検知手段により使用済み伝票を切り離す際に導電パターンの一部が切り離されることにより伝票の更新を検知すると、ＩＤ更新手段により各伝票に対応した固有のＩＤコードに更新するようにする。このため、応答器と一体化された伝票束を用いて複数回使用することが可能な上、それぞれ固有のＩＤコードを用いることができるので、確実にデータ管理を行うことができる。
請求項２記載の発明は、請求項１に記載の物品輸送用伝票において、前記伝票検知手段は、使用済み伝票を切り離す際にループ状の導電パターンの一部を切り離すことで、電気的特性の変化を検知するようにしたことを特徴とする。
これによれば、伝票検知手段は、使用済み伝票を切り離す際にループ状の導電パターンの一部を切り離し、電気的特性が変化したことを検知するものであるため、容易かつ確実に伝票の更新を検知することができる。
請求項３記載の発明は、請求項１または２に記載の物品輸送用伝票において、前記ＩＤ更新手段は、前記伝票束の各伝票に対応する固有のＩＤコードが予め格納された記憶手段を有し、前記伝票検知手段によって伝票の更新が検知されると前記記憶手段から対応するＩＤコードを読み出して更新することを特徴とする。
これによれば、ＩＤ更新手段は、記憶手段内に各伝票に対応する固有のＩＤコードを予め格納しておき、伝票検知手段によって伝票の更新が検知されると前記記憶手段から対応したＩＤコードを読み出して更新するため、各伝票に対応した固有のＩＤコードを用いて確実にデータ管理を行うことができる。
請求項４記載の発明は、請求項１〜３の何れか一項に記載の物品輸送用伝票において、前記応答器は、ループアンテナを有し、前記質問器からの交流磁界によって発生した電力を用いてデータの授受動作を非接触で行うことを特徴とする。
これによれば、応答器は、質問器からの交流磁界によりループアンテナに発生した電力を用いてデータの授受動作を非接触で行うため、電池切れの心配がなくなる。
【０００５】
【発明の実施の形態】
以下、本発明の一実施の形態を図面に基づいて詳細に説明する。
図１は、本実施の形態に係る物品輸送用伝票の一例を示す外観斜視図であり、図２は、図１の物品輸送用伝票の概略構成を示すブロック図である。
本実施の形態における物品輸送用伝票１０は、宅配便や郵便等を使い物品を送る際に、物品の行先や品名等を記入し、これを貼り付けて用いる複数回分の伝票束１２（１２ａ〜１２ｄ）と、質問器としてのＩＣカードリーダライタにより情報の書き込みや読み出しが行える応答器としてのＩＣチップ１８が内蔵されたデータキャリア１４とが切離し可能に一体化されている。本実施の形態におけるデータキャリア１４とは、ＩＣカードやＩＣタグなどを含む総称である。
伝票束１２には、輸送する物品の行先（宛先）や品名（物品名）等を記入する記入欄２２やＩＤコード２４などが記された欄があり、依頼主控、取扱店控、売上票、貼付票、届け先控、および配達票など複数の感圧紙が重なった状態で１回分の伝票（例えば、１２ａ）が構成されている。さらに、本実施の形態では、複数回分の伝票（１２ａ〜１２ｄまでの４回分の伝票）が重ねて設けられ、伝票束１２を構成している。
データキャリア１４には、主にＩＣチップ１８とループアンテナ２０が配置されていて、そのＩＣチップ１８と上記各伝票１２ａ〜１２ｄとの間に切離し線２６をまたいでループ状の導電パターン１６（図１では図示していないが、図２のように各伝票毎に導電パターン１６ａ〜１６ｄ）が敷設されている。この導電パターン１６ａ〜１６ｄは、使用済みの伝票１２ａ〜１２ｄが順次切り離される際に、導電パターンの一部が一緒に切り離されることで電気的特性が変化するため、伝票が更新されたことをＩＣチップ１８側で検知することができる。ここでは、導電パターン１６とＩＣチップ１８とにより伝票検知手段が構成されている。
ループアンテナ２０は、ＩＣカードリーダライタとの間で電波で情報を送受信するもので、ここでは、さらにＩＣカードリーダライタから発せられる交流磁界を電流に変換して電源供給も行っている。しかし、内部に電池電源を有する構成とした場合は、ループアンテナ２０による電源供給は行われない。
【０００６】
さらに、図２に示すように、ＩＣチップ１８は、伝票検知手段としての伝票検知部３２、記憶手段としてのメモリ３４、制御部３６、および送受信処理部３８などを備えていて、そのＩＣチップ１８の駆動電源は、ループアンテナ２０から電源生成部４０を介して供給される。
伝票検知部３２は、各伝票１２ａ〜１２ｄとの間に個別に敷設された導電パターン１６ａ〜１６ｄの電気的特性の変化を検知するもので、例えば、図２のように伝票１２ａが使用済みとなって切り離されると、ループ状の導電パターンの一部が切り取られて導通がなくなるので、その変化を捉えることで伝票１２ａが使用済みとなり、次の伝票１２ｂが使用可能状態にあることを検知することができる。
メモリ３４には、プログラムデータなどを格納する他、各伝票１２ａ〜１２ｄに対応するＩＤコード（例えば、「５４３２１、５４３２２、５４３２３、５４３２４」など）が予め格納されている。
制御部３６は、物品輸送用伝票１０におけるＩＣチップ１８の動作全体を制御するもので、本実施の形態の場合、伝票検知部３２から伝票の更新情報を取得すると、更新された伝票に対応するＩＤコードをメモリ３４から読み出して、ＩＣカードリーダライタ４４から質問があると、上記ＩＤコードを含む各種情報を応答する。
送受信処理部３８は、ループアンテナ２０を介してＩＣカードリーダライタ４４との間で情報の送受信処理を行うところである。
【０００７】
図３は、本実施の形態の物品輸送用伝票１２ａ、１２ｃが貼付された物品４０、４２を輸送する際の管理データの収集システムの構成図である。
図３において、１枚目の伝票１２ａが貼付された物品４０と、３枚目の伝票１２ｃが貼付された物品４２がそれぞれ別の時点でＩＣカードリーダライタ４４とデータの読み出しや書き込みを行い、ＩＣカードリーダライタ４４はその結果をホストコンピータ４８のデータベースに格納する。また、それら輸送物品４０や４２が配達先で受領されると、不図示の配達人がハンド・ヘルド・ターミナル（ＨＨＴ）４６を使って「配達済」等のデータを入力すると、そのデータもホストコンピータ４８のデータベースに格納される。このように、ホストコンピータ４８には、物品の輸送状況を示すデータを集めて集中管理することができる。
図４は、図３のホストコンピータ４８のデータベースに格納された管理データの一例を示す図である。
【０００８】
次に、動作を説明する。
図３に示すように、物品４０に物品輸送用伝票１０の伝票１２ａを貼り付けて、依頼主が物品の輸送取扱店で行先や品名を伝票に記入して輸送手続きを行うと、ＩＣカードリーダライタ４４によって物品輸送用伝票１０のＩＤコード（ここでは、「５４３２１」）と宛先情報や物品情報を読取り、ホストコンピュータ４８に送信して、データベースに保管される。
この物品４０が配達先に届けられて受領印をもらうと、配達人はＨＨＴ４６から配達済みのデータ入力を行い、そのＨＨＴ４６のデータをホストコンピュータ４８に転送すると、その情報がデータベースに保管される。データベースに保管された管理データは、図４に示すようにＩＤコード「５４３２１」の物品が配達済みであることがわかる。
このように、物品の輸送状態を逐次ホストコンピュータ４８で集中管理することにより、配送途中で問題が発生してもホストコンピュータ４８に問い合わせるだけで物品の最新の配送状態を正確に把握することができ、迅速に対処することができる。
また、一度使用した物品輸送用伝票１０は、これを回収して使用済みの伝票１２ａを図１に示した切離し線２６から切り取り、次に輸送する物品に貼り付けるだけで再使用が可能となる。
すなわち、図２に示すように、使用済みの伝票１２ａをデータキャリア１４から切り取ると、導電パターン１６ａの一部が切り離されて電気的特性が変化するため、伝票１２ａが使用済みとなって切り離されたことを伝票検知部３２が検知する。制御部３６は、伝票検知部３２における検知情報に基づいてＩＤコード「５４３２１」の使用を中止し、次の伝票１２ｂに対応したＩＤコード「５４３２２」をメモリ３４から読み出し、ＩＣカードリーダライタ４４からの質問に対してＩＤコード「５４３２２」で応答するようにする。このＩＤコード「５４３２２」は、伝票１２ｂに記入されたＩＤコード２４と一致している。
この伝票１２ｂの場合も上記した伝票１２ａと同様に配達が完了すると、その情報がホストコンピュータ４８のデータベースに保管され、図４に示すようにＩＤコード「５４３２２」の物品は配達済みとなる。
【０００９】
さらに、物品輸送用伝票１０は、再度回収して使用済みの伝票１２ｂを切り取り、伝票１２ｃを次の輸送物品４２に貼り付けるだけで３度目の使用が可能となる。この場合も、使用済みの伝票１２ｂをデータキャリア１４から切り取ると、導電パターン１６ｂの一部が切り離されて電気的特性が変化するのを伝票検知部３２が検知し、制御部３６がＩＤコード「５４３２２」の使用を中止し、次の伝票１２ｃに対応したＩＤコード「５４３２３」をメモリ３４から読み出して、ＩＣカードリーダライタ４４からの質問に対してＩＤコード「５４３２３」で応答するようにする。
ここで、物品４２がＡという場所で輸送手続きが行われ、物品の行先がＢの場合、ホストコンピュータ４８のデータベースに配達完了のデータが入力されるまでは、「Ａ→Ｂへ配送中」ということになり、その処理状況が図４に示すように保管される。
以上説明したように、本実施の形態によれば、物品輸送用伝票に複数回分の伝票が設けられていて、１回ずつ使用するたびに伝票を切り取るだけで、それぞれの伝票に対応したＩＤコードに自動更新されるため、伝票束を用いて複数回使用することが可能となり、ＩＣチップを効率良く低コストで利用できるようになると共に、確実なデータ管理を行うことができる。
また、本実施の形態によれば、伝票検知部により容易かつ確実に伝票の更新を検知することができ、その伝票の更新情報に基づいてメモリに予め格納されているＩＤコードを更新するようにしたので、同じ物品輸送用伝票を繰り返し使っても、各伝票毎に固有のＩＤコードが用いられるため、物品のデータ管理を確実に行うことができる。
さらに、本実施の形態によれば、ＩＣカードリーダライタからの交流磁界によってデータキャリアのループアンテナに電力を発生させ、この電力を用いてデータの授受動作を行うようにしたので、長期間使わなくても電池切れの心配がなくなる。
なお、本実施の形態では、伝票束を４つの伝票で構成した場合について説明したが、これに限定されず、これよりも多く構成したり少なく構成することも勿論可能である。
また、本実施の形態では、ＩＤ更新手段として予め複数のＩＤコードをメモリに格納しておき、対応する伝票に応じたＩＤコードを読み出すようにしたが、必ずしもこの構成に限定されるものではなく、例えば使用を開始する最初のＩＤコードのみを格納しておき、伝票が更新されるたびにＩＤコードをインクリメントあるいはデクリメントすることで新たなＩＤコードを作成し、これを使用するようにしてもよい。
さらに、本実施の形態では、データキャリア１４の駆動電源をループアンテナ２０を介して供給される電池レス構成としたが、本発明は必ずしもこの構成に限るものではなく、内蔵電池から供給される電源で駆動する構成を採用することも勿論可能である。
【００１０】
【発明の効果】
以上説明したように、請求項１記載の発明によれば、伝票束は輸送する物品の宛先や物品名等を複数回分記入可能なもので、質問器との間でデータの授受を行う応答器と一体化され、その応答器の伝票検知手段により使用済み伝票を切り離す際に導電パターンの一部が切り離されることにより伝票の更新を検知すると、ＩＤ更新手段により各伝票に対応した固有のＩＤコードに更新するようにするので、応答器と一体化された伝票束を用いて複数回使用することが可能となり、それぞれ固有のＩＤコードを用いることができることから、確実にデータ管理を行うことができる。
請求項２記載の発明によれば、伝票検知手段は、使用済み伝票を切り離す際にループ状の導電パターンの一部を切り離し、電気的特性が変化したことを検知するものであるので、容易かつ確実に伝票の更新を検知することができる。
請求項３記載の発明によれば、ＩＤ更新手段は、記憶手段内に各伝票に対応する固有のＩＤコードが予め格納しておき、伝票検知手段によって伝票の更新が検知されると前記記憶手段から対応したＩＤコードを読み出して更新するので、各伝票に対応した固有のＩＤコードを用いて確実にデータ管理を行うことができる。
請求項４記載の発明によれば、応答器は、質問器からの交流磁界によりループアンテナに発生した電力を用いてデータの授受動作を非接触で行うので、電池切れの心配がなくなる。
【図面の簡単な説明】
【図１】本実施の形態に係る物品輸送用伝票の一例を示す外観斜視図である。
【図２】図１の物品輸送用伝票の概略構成を示すブロック図である。
【図３】本実施の形態の物品輸送用伝票が貼付された物品を輸送する際の管理データの収集システムの構成図である。
【図４】図３のホストコンピータのデータベースに格納された管理データの一例を示す図である。
【符号の説明】
１０    物品輸送用伝票、
１２、１２ａ〜１２ｄ    伝票束、
１４    データキャリア、
１６、１６ａ〜１６ｄ    導電パターン
１８    ＩＣチップ、
２０    ループアンテナ、
２２    記入欄、
２４    ＩＤコード、
２６    切離し線、
３２    伝票検知部、
３４    メモリ、
３６    制御部、
３８    送受信処理部、
４０    電源生成部、
４４    ＩＣカードリーダライタ、
４６    ハンド・ヘルド・ターミナル（ＨＨＴ）、
４８    ホストコンピュータ。
【図１】
0004447134.tif 000002
【図２】
0004447134.tif 000003
【図３】
0004447134.tif 000004
【図４】
0004447134.tif 000005